(57)【特許請求の範囲】
【請求項１】
開口部が設けられた載置部を有する筐体と、
前記載置部に載置された枠体と、
前記載置部の前記開口部に対向する位置で前記枠体に保持されるとともに、前記枠体に対して進退可能に前記枠体に保持された操作ボタンと、
前記載置部の下面側に設けられ、平坦部と、この平坦部周囲に立設されたリブと、前記平坦部から下方に垂下するように形成されるとともに前記操作ボタンの直下に形成された凹部と、を有する防滴部材と、
を具備し、
前記筐体は、
前記載置部の前記開口部の下方に前記載置部と離間して内部構造物が配設され、
前記凹部の下端は、前記内部構造物に当接する、
ことを特徴とする電子機器。
【請求項２】
前記凹部は、
前記操作ボタンを下方から支持するよう、前記操作ボタンの外周寸法より小さい開口寸法を有するとともに下端が前記操作ボタンの下方の前記内部構造物に当接する深さを有する、
請求項１記載の電子機器。
【請求項３】
前記防滴部材は、
前記載置部の前記開口部の開口寸法より大きい外形寸法を有する、
請求項１または２に記載の電子機器。
【請求項４】
前記操作ボタンを複数備え、
前記防滴部材は、
前記凹部を複数有し、前記複数の凹部のそれぞれは、前記複数の操作ボタンのそれぞれの直下に形成された、
請求項１ないし３のいずれか１項に記載の電子機器。
【請求項５】
前記載置部は、
前記筐体の表面上のユーザ手前側に設けられ、
前記載置部の開口部は、
前記載置部のユーザ手前側に設けられた、
請求項１ないし４のいずれか１項に記載の電子機器。
【請求項６】
前記防滴部材は、
樹脂シートをフォーミング成形して前記平坦部と前記リブと前記凹部とを一体形成した、
請求項１ないし５のいずれか１項に記載の電子機器。
【請求項７】
開口部が設けられた載置部を有する筐体と、
前記載置部に載置された枠体と、
前記載置部の前記開口部に対向する位置で前記枠体に保持されるとともに、前記枠体に対して進退可能に前記枠体に保持された操作ボタンと、
前記筐体に収容され、前記載置部と離間し前記開口部の下方に位置された内部構造物と、
前記載置部の下面側に設けられ、平坦部と、この平坦部周囲に立設されたリブと、前記平坦部から垂下されて前記内部構造物と一部が当接された凹部と、を有し、前記載置部の前記開口部の開口寸法より大きい外形寸法を有する防滴部材と、
を備えたことを特徴とする電子機器。
【発明の詳細な説明】
【技術分野】
【０００１】
本発明は、操作部における防水性を向上させた電子機器に関するものである。
【背景技術】
【０００２】
例えばノート型パソコンのキーボードあるいはタッチパッドのような操作部における防水性（防滴性）を確保するために、操作部の下方に防滴部材を設置した技術が特許文献１に開示されている。
【０００３】
ここでは、キーボードの下方に平坦な浅い受け皿状（トレー状）の防滴部材が設置されている。これにより、万一キーボードの上に液体をこぼしても液体は防滴部材上に捕捉されるため、キーボードの下方に設置された電子基板等が濡れたり汚損して故障することを防止できる。
【特許文献１】特開２００２−３５２６５９号公報
【発明の開示】
【発明が解決しようとする課題】
【０００４】
しかしながら、上記特許文献１に開示された構造では、防滴部材が平坦な浅い受け皿状に形成されているため、捕捉できる液体の量が少ないという難点があった。このため、キーボードのように面積の広い操作部をカバーする場合はまだしも、タッチパッドのように面積の狭い操作部をカバーする場合には液体の捕捉量が絶対的に不足し、十分な防滴効果が得られなかった。
【０００５】
しかも、防滴部材を定位置に保持してずれ等を防止するため、専用の嵌合形状や保持具を設けなければならず、構造が複雑になる懸念があった。
【０００６】
さらに、操作部の下方が防滴部材によって筐体内壁や下方の構造物等から遮蔽されるため、操作部を下方から支持する支持脚等の構造物を設けることができず、このため操作部を押圧操作した際に操作部が下方に撓む傾向があって操作感が悪いという問題があった。
【０００７】
本発明は、上記問題点を解決するためになされたものであり、簡素な構造により、操作部の上にこぼれた液体の捕捉量を増大して防滴効果を高めるとともに、操作部の操作感を向上させることのできる電子機器を提供することを目的とする。
【課題を解決するための手段】
【０００８】
上記目的を達成するため、本発明に係る電子機器は、開口部が設けられた載置部を有する筐体と、前記載置部に載置された枠体と、前記載置部の前記開口部に対向する位置で前記枠体に保持されるとともに、前記枠体に対して進退可能に前記枠体に保持された操作ボタンと、前記載置部の下面側に設けられ、平坦部と、この平坦部周囲に立設されたリブと、前記平坦部から下方に垂下するように形成されるとともに前記操作ボタンの直下に形成された凹部と、を有する防滴部材と、を具備し、前記筐体は、前記載置部の前記開口部の下方に前記載置部と離間して内部構造物が配設され、前記凹部の下端は、前記内部構造物に当接する、ことを特徴とする。
【発明の効果】
【０００９】
本発明に係る電子機器によれば、簡素な構造により、操作部の上にこぼれた液体の捕捉量を増大して防滴効果を高めるとともに、操作部の操作感を向上させることができる。
【発明を実施するための最良の形態】
【００１０】
以下、本発明の実施形態を図面に基づいて説明する。
【００１１】
［第１実施形態］
図１は、本発明の実施形態が適用された電子機器の一例を示すノート型パーソナルコンピューターの斜視図である。このパーソナルコンピューター１は、本体２に表示部３がヒンジ部４を介して開閉可能に接続されている。本体２の上面にはキーボード５やタッチパッド６等の操作部が設けられている。また、表示部３内部には液晶表示パネル（ＬＣＤ）７が設けられている。
【００１２】
本体２は樹脂製の本体筐体９を有し、表示部３は樹脂製の表示部筐体１０を有する。本体筐体９は下側のベース筐体１１と、このベース筐体１１に上から被装固定されるカバー筐体１２とを備えている。図２に示すように、カバー筐体１２の上面にはキーボード５が装着される開口部状の載置部１３と、タッチパッド６が装着される凹部状の載置部１４とが形成され、載置部１４には手前側に開口部１５が形成されている。載置部１４の左右両側は平坦なパームレスト領域１６である。
【００１３】
タッチパッド６はパッド部２０とタッチパッドボタン２１，２２とが枠体２３に保持されて一体にユニット化されており、枠体２３が載置部１４に密に嵌合して固定される。これにより、パッド部２０とタッチパッドボタン２１，２２と枠体２３の上面がパームレスト領域１６の上面と滑らかに続く高さとなる。なお、タッチパッドボタン２１，２２は開口部１５の真上に整合する。
【００１４】
そして、防滴部材２６が載置部１４（開口部１５）の下面側から被装され、これによりタッチパッド６の下面が覆われる。図３は防滴部材２６を上方より見た斜視図、図４は防滴部材２６を下方より見た斜視図、図５は図１のＶ−Ｖ線に沿う縦断面により本発明の第１実施形態を示す図である。
【００１５】
防滴部材２６は、例えばＰＥＴ樹脂等の樹脂シートをフォーミング成形して形成され、平坦部２７と、この平坦部２７の周囲に起立するリブ２８，２９，３０とを備えたトレー状に一体形成され、載置部１４の外周寸法よりも大きな外形寸法を有している。リブ２８，２９，３０は平坦部２７の手前側と左右両側とに設けられ、平坦部２７の奥側には設けられていない。平坦部２７の奥側の部分は例えば両面テープ３１で載置部１４の下面に接着される。リブは２８，２９，３０はそれぞれ載置部１４の前縁と左右両側縁とに外接する。
【００１６】
防滴部材２６の平坦部２７には下方に垂下する左右２つの凹部３３，３４が一体形成されている。これらの凹部３３，３４は防滴部材２６のフォーミング成形時に同時に絞り加工される。各凹部３３，３４の位置は、防滴部材２６が載置部１４の下面側に被装された時に開口部１５の下方に位置するように設定され、凹部３３がタッチパッド６のタッチパッドボタン２１の直下に位置し、凹部３４がタッチパッドボタン２２の直下に位置している。
【００１７】
図５（ａ）または（ｂ）に示すように、凹部３３，３４の長さ（深さ）は、凹部３３，３４の下端がタッチパッド６の下方の構造物に軽く当接する程度とされる。図５（ａ）の例では凹部３３，３４がベース筐体１１に当接する長さとされ、図５（ｂ）の例では凹部３３，３４が電子基板３６に当接する長さとされている。電子基板３６はビス３７でベース筐体１１の底面に形成された締結ボス３８に締結固定されている。
【００１８】
なお、ベース筐体１１や電子基板３６に限らず、他の内部構造物に凹部３３，３４の下端が当接するようにしてもよい。また、ここでは凹部３３，３４が四角柱状に形成されているが、上部が開放された有底形状であれば多角柱状や円柱状、円錐台状等、他の形状にすることも考えられる。凹部３３，３４の容積は、凹部３３，３４の側面が他の内部構造物に干渉しない範囲で、できるだけ大きくするのが望ましい。
【００１９】
このような防滴部材２６を設けたことにより、万一タッチパッド６の上に液体をこぼし、この液体が枠体２３とタッチパッドボタン２１，２２の間の隙間を通って下方に流下しても、この液体は防滴部材２６上に捕捉されるため、タッチパッド６の下方に設置された電子基板３６等が濡れたり汚損して故障することを防止できる。その際、防滴部材２６に形成した凹部３３，３４により、防滴部材２６が捕捉できる液体の量が大幅に増大するため、十分な防滴効果を得ることができる。
【００２０】
また、凹部３３，３４により、防滴部材２６の上下方向への動き（ずれ）が規制されるため、専用の嵌合形状や保持具を設ける必要がなく、この点で構造を簡素化することができる。
【００２１】
しかも、タッチパッド６のタッチパッドボタン２１，２２下方に位置する凹部３３，３４の下端が、タッチパッド６下方の内部構造物に軽く当接しているため、凹部３３，３４自体がタッチパッドボタン２１，２２を下方から支持する支持脚として機能する。このため、タッチパッドボタン２１，２２を押圧操作した際にタッチパッド６全体が下方に撓むことがなく、タッチパッドボタン２１，２２の操作感を向上させることができる。
【００２２】
［第２実施形態］
図６は図１のＶＩ−ＶＩ線に沿う縦断面により本発明の第２実施形態を示す図である。
【００２３】
ここでは、操作部であるキーボード５のボード基板４１を下方から覆うように面積の大きな防滴部材４２が設けられている。この防滴部材４２もＰＥＴ樹脂等の樹脂シートをフォーミング成形して形成されており、平坦部４３と、この平坦部４３の周囲に起立するリブ４４，４５とを備えたトレー状に一体形成され、キーボード５が嵌め込まれる載置部１３の外周寸法よりも大きな外形寸法を有している。
【００２４】
防滴部材４２の平坦部４３には下方に垂下する複数の凹部４６，４７が一体形成されている。これらの凹部４６，４７の位置はキーボード５のキー４８の位置に応じて適宜設定される。
【００２５】
凹部４６，４７の長さ（深さ）は、凹部４６，４７の下端がキーボード５下方の構造物に軽く当接する程度とされる。例えば凹部４６はキーボード５の下方に設置された電子基板４９に当接する長さであり、凹部４７はベース筐体１１に当接する長さである。凹部４６，４７を電子基板４９やベース筐体１１以外の構造物に当接させてもよい。
【００２６】
この防滴部材４２を設けたことにより、キーボード５上にこぼれた液体を凹部４６，４７により確実に捕捉して電子基板４９等の損傷を防止するとともに、凹部４６，４７を下方の内部構造に当接させたことにより防滴部材４２の上下方向への動き（ずれ）を規制して専用の嵌合形状や保持具を省き構造を簡素化し、同時にキーボード５のキー４８を操作する際におけるボード基板４１の下方への撓みを阻止してキーボード５の操作感を向上させることができる。
【００２７】
なお、第１実施形態の防滴部材２６および第２実施形態の防滴部材４２は共にＰＥＴ樹脂等の樹脂シートをフォーミング成形して形成されているが、例えば軽合金シート等、他の材質のシートをプレス成形して防滴部材を形成すること等も考えられる。
【図面の簡単な説明】
【００２８】
【図１】本発明の実施形態が適用された電子機器の一例を示すノート型パーソナルコンピューターの斜視図。
【図２】カバー筐体およびタッチパッド、防滴部材の斜視図。
【図３】防滴部材を上方より見た斜視図。
【図４】防滴部材を下方より見た斜視図。
【図５】図１のＶ−Ｖ線に沿う縦断面により本発明の第１実施形態を示す図で、（ａ）は防滴部材の凹部をベース筐体に当接させた状態を示す縦断面図、（ｂ）は凹部を電子基板に当接させた状態を示す縦断面図。
【図６】図１のＶＩ−ＶＩ線に沿う縦断面により本発明の第２実施形態を示す図。
【符号の説明】
【００２９】
１  パーソナルコンピューター（電子機器）
２  本体筐体
６  タッチパッド（操作部）
９  本体筐体
１１  ベース筐体（操作部の下方の構造物）
１４  載置部
２１，２２  タッチパッドボタン
２６  防滴部材
２７  平坦部
２８，２９，３０  リブ
３３，３４  凹部
３６  電子基板（操作部の下方の構造物）
【図１】
0004653586.tif 000002
【図２】
0004653586.tif 000003
【図３】
0004653586.tif 000004
【図４】
0004653586.tif 000005
【図５】
0004653586.tif 000006
【図６】
0004653586.tif 000007